(57)【要約】【課題】生産性の低下を防止しつつ、取付作業性の飛躍的な向上及び取付状態の一層の安定化を図ることのできるウエザストリップの製造方法を提供する。【解決手段】自動車ドアに対応するボディ側のドア開口周縁にはウエザストリップ４が設けられる。ウエザストリップ４は、ドア開口周縁のフランジに保持されるトリム部５と、トリム部から突出して設けられる中空状のシール部６とを備えている。トリム部５は、車内側側壁１１、車外側側壁１２、及び車内側側壁１１と車外側側壁１２とを連結する連結部１３を備えている。車内側側壁１１の内面には可変保持リップ１６が一体形成されている。また、フランジの厚みに応じて可変保持リップ１６の長さ及び肉厚が長手方向に沿って段階的に相違するように形成されている。【選択図】      図１
2006297979.tif 000002
【特許請求の範囲】
【請求項１】
車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップの押出成形に際し、前記フランジが最も薄い部位における前記保持リップ部の長さが最も長く、かつ、肉厚が最も大きくなるよう、前記フランジの厚みに応じて前記保持リップ部の長さと肉厚とを同時に複数の所定段階に切換えるようにして成形することを特徴とするウエザストリップの製造方法。
【請求項２】
車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップの押出成形に際し、前記フランジが最も薄い部位における前記保持リップ部の長さが最も長く、かつ、
前記フランジが最も薄い部位における前記保持リップ部の肉厚が最も大きく、
かつ、前記保持リップ部のうち最も長くかつ最も厚肉な部位における前記フランジ面に対する前記保持リップ部の先端部分の延出角度が、前記保持リップ部のうち最も短くかつ最も薄肉な部位における前記フランジ面に対する前記保持リップ部の先端部分の延出角度よりも小さく
なるよう前記フランジの厚みに応じて前記保持リップ部の長さ、肉厚、及び先端部形状を同時に複数の所定段階に切換えるようにして成形することを特徴とするウエザストリップの製造方法。
【請求項３】
車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップを成形するための成形孔を有するダイスと、
前記成形孔に対して相対移動可能に設けられ、前記成形孔のうち少なくとも前記保持リップ部に対応するリップ成形用部位の一部を開閉可能な単一のシャッタと、
前記シャッタを駆動する駆動手段と、
前記駆動手段を駆動制御することで前記シャッタの位置を切換可能な制御装置とを備え、
前記制御装置は、ウエザストリップの押出成形に際し、前記フランジが最も薄い部位における前記保持リップ部の長さが最も長く、かつ、肉厚が最も大きくなるよう、前記フランジの厚みに応じて前記シャッタの位置を複数の所定段階に切換えることを特徴とするウエザストリップの製造方法。
【請求項４】
車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップを成形するための成形孔を有するダイスと、
前記成形孔に対して相対移動可能に設けられ、前記成形孔のうち少なくとも前記保持リップ部に対応するリップ成形用部位の一部を開閉可能な単一のシャッタと、
前記シャッタを駆動する駆動手段と、
前記駆動手段を駆動制御することで前記シャッタの位置を切換可能な制御装置とを備え、
前記制御装置は、ウエザストリップの押出成形に際し、前記フランジが最も薄い部位に対応する前記保持リップ部の長さが最も長く、
かつ、前記フランジが最も薄い部位に対応する前記保持リップ部の肉厚が最も大きく、
かつ、前記保持リップ部のうち最も長くかつ最も厚肉な部位における前記フランジ面に対する前記保持リップ部の先端部分の延出角度が、前記保持リップ部のうち最も短くかつ最も薄肉な部位における前記フランジ面に対する前記保持リップ部の先端部分の延出角度よりも小さく
なるよう前記フランジの厚みに応じて前記シャッタの位置を複数の所定段階に切換えることを特徴とするウエザストリップの製造方法。
【請求項５】
前記シャッタは、前記リップ成形用部位の延在方向に対して斜めに交差する方向にスライド可能に設けられていることを特徴とする請求項３又は４に記載のウエザストリップの製造方法。
【請求項６】
ウエザストリップの長手方向に沿って相違している前記ドア開口周縁のフランジの厚みを、前記長手方向に対応させて、所定範囲を有する複数の所定段階に区分し、ウエザストリップの押出成形に際しては、前記区分に応じて前記保持リップ部の形状を切換えるようにして成形することを特徴とする請求項１乃至５のいずれかに記載のウエザストリップの製造方法。
【発明の詳細な説明】
【技術分野】
【０００１】
本発明は、車両のドア開口周縁に設けられるウエザストリップの製造方法に関するものである。
【背景技術】
【０００２】
一般に、自動車等の車両のドア開口周縁にはウエザストリップが設けられる。ウエザストリップは、ドア開口周縁のフランジに対し嵌め込まれることによって保持される断面略Ｕ字形のトリム部と、前記トリム部から突出して設けられた中空状のシール部とを備えている。トリム部の内部には、例えば金属製のインサートが埋設されている。また、トリム部の側壁の内面には、内側に向かって延びる保持リップ部が一体形成されている。ウエザストリップの取付に際しては、トリム部がフランジに嵌め込まれ、基本的には前記保持リップ部による弾性力等に基づいて取付状態が維持されるようになっている。そして、ドア閉時には、ドアの縁部が前記シール部と当接し、前記シール部が潰れ変形することによって、ドアとボディとの間がシールされる。かかるウエザストリップのうち、長手方向の多くの部分、或いは、全部が、所謂押出成形法によって成形される。
【０００３】
ところで、取付けられる側のフランジの厚みは、部位によって相違することがある。この場合、前記保持リップ部の大きさ（長さ）が常に一定だとすると、フランジの厚みが大きい部位においては、嵌め込み時の応力（挿入荷重）が大きくなり、取付に際しての作業性の悪化を招いてしまう。一方、フランジの厚みが小さい部位においては、保持リップ部の弾性力が小さく、抜けやすくなってしまうという不具合が生じうる。
【０００４】
このような不具合を抑制するべく、押出成形に際し、フランジの厚みの変化に追従させて、保持リップ部の長さを連続的に可変とすることが考えられる（例えば、特許文献１参照）。
【特許文献１】特開平２−６８２４０号公報
【発明の開示】
【発明が解決しようとする課題】
【０００５】
しかしながら、保持リップ部の長さを単に異ならせるだけでは、例えば、次のような問題が懸念される。すなわち、フランジの厚みが小さい部位においては、保持リップ部の弾性力が依然として小さい場合があり、取付状態が十分に維持されないという不具合が懸念される。
【０００６】
本発明は上記問題点を解決するためになされたものであって、その目的は、生産性の低下を防止しつつ、取付作業性の飛躍的な向上及び取付状態の一層の安定化を図ることのできるウエザストリップの製造方法を提供することにある。
【課題を解決するための手段】
【０００７】
以下、上記目的を解決するのに適した各手段につき、項分けして説明する。なお、必要に応じて対応する手段に特有の作用効果等を付記する。
【０００８】
手段１．車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップの押出成形に際し、前記フランジが最も薄い部位における前記保持リップ部の長さが最も長く、かつ、肉厚が最も大きくなるよう、前記フランジの厚みに応じて前記保持リップ部の長さと肉厚とを同時に複数の所定段階に切換えるようにして成形することを特徴とするウエザストリップの製造方法。
【０００９】
手段１によれば、断面略Ｕ字形のトリム部が車両のドア開口周縁のフランジに保持され、トリム部から突出して設けられた中空状のシール部が、ドア閉時にドアの周縁が押付けられることで、車両の本体及びドア間がシールされる。また、トリム部の内面からフランジ側に向かって延出形成された保持リップ部によって、取付状態が維持される。さて、かかるウエザストリップを製造するにあたり、ウエザストリップの押出成形に際し、保持リップ部の長さが、フランジの厚みに応じて、複数の所定段階に切換えられる。このため、フランジの厚みが大きい部位においては、保持リップ部が短くされることで、挿入荷重の増大が起こりにくくなる。逆にフランジが薄い部位においては、保持リップ部が長くされることで、十分な弾性力が確保され、抜けが起こりにくくなる。
【００１０】
さらに、本手段では、保持リップ部の肉厚についても、フランジの厚みに応じて、複数の所定段階に切換えられる。このため、フランジの厚みが大きい部位においては、保持リップ部が薄肉とされることで、挿入荷重の増大が起こりにくくなるといった作用効果が相乗的に奏される。逆にフランジが薄い部位においては、保持リップ部が厚肉とされることで、十分な弾性力が確保され、抜けが起こりにくくなるといった作用効果が相乗的に奏される。結果として、取付作業性の飛躍的な向上及び取付状態の一層の安定化を図ることができる。
【００１１】
しかも、保持リップ部の長さ及び肉厚は連続的に徐変されるものではなく、複数の所定段階に切換えられるものであるため、長さ及び肉厚を切り換える際の制御が複雑となってしまうことがなく、コストが増大してしまうこともない。さらに、保持リップ部の長さと肉厚とが別々に切換えられるわけではなく、同時に切換えられるため、切換制御や構成の複雑化を確実に抑制することができる。
【００１２】
手段２．車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップの押出成形に際し、前記フランジが最も薄い部位における前記保持リップ部の長さが最も長く、かつ、
前記フランジが最も薄い部位における前記保持リップ部の肉厚が最も大きく、
かつ、前記保持リップ部のうち最も長くかつ最も厚肉な部位における前記フランジ面に対する前記保持リップ部の先端部分の延出角度が、前記保持リップ部のうち最も短くかつ最も薄肉な部位における前記フランジ面に対する前記保持リップ部の先端部分の延出角度よりも小さく
なるよう前記フランジの厚みに応じて前記保持リップ部の長さ、肉厚、及び先端部形状を同時に複数の所定段階に切換えるようにして成形することを特徴とするウエザストリップの製造方法。
【００１３】
手段２によれば、上記手段１と同様の作用効果が奏される。また、手段２では、保持リップ部の長さ及び肉厚を段階的に切換えるに止まらず、保持リップ部のうち最も長くかつ厚肉の部位におけるフランジ面に対する保持リップ部の先端部分の延出角度が、保持リップ部のうち最も短くかつ薄肉の部位におけるフランジ面に対する保持リップ部の先端部分の延出角度よりも小さくなるよう成形される。このため、フランジが最も薄い部位においては、保持リップ部の長さが最も長くかつ肉厚が最も大きくなっているとともに、フランジ面に対する保持リップ部の先端部分の延出角度もより小さく、保持リップ部のフランジ面に対する接触面積がより大きくなる。従って、抜け応力が加わったときの摺動抵抗がより大きいものとなり、より一層確実な抜け防止を図ることができる。一方で、フランジの厚みが最も大きい部位においては、保持リップ部の長さが最も短くかつ肉厚が最も小さくなっているとともに、フランジ面に対する保持リップ部の先端部分の延出角度もより大きく、保持リップ部のフランジ面に対する接触面積がより小さくなる。従って、フランジの厚みが大きい部位における、摺動抵抗が小さく、嵌め込み時の応力（挿入荷重）が大きくなってしまうという不具合を抑制できる。
【００１４】
なお「前記保持リップ部のうち最も長く、かつ、最も厚肉の部位においては、その基端部が前記最も短くかつ薄肉の部位と同等の延出角度で延び、その先端部が前記基端部に対し折曲形成されることで、前記フランジ面に対する前記先端部の延出角度が前記所定角度よりも小さくなるよう」成形してもよい。
【００１５】
手段３．車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップを成形するための成形孔を有するダイスと、
前記成形孔に対して相対移動可能に設けられ、前記成形孔のうち少なくとも前記保持リップ部に対応するリップ成形用部位の一部を開閉可能な単一のシャッタと、
前記シャッタを駆動する駆動手段と、
前記駆動手段を駆動制御することで前記シャッタの位置を切換可能な制御装置とを備え、
前記制御装置は、ウエザストリップの押出成形に際し、前記フランジが最も薄い部位における前記保持リップ部の長さが最も長く、かつ、肉厚が最も大きくなるよう、前記フランジの厚みに応じて前記シャッタの位置を複数の所定段階に切換えることを特徴とするウエザストリップの製造方法。
【００１６】
手段３によれば、単一のシャッタで、上述した手段１の作用効果が奏される。換言すれば、保持リップ部の形状を異ならせるにあたり、シャッタ構造の複雑化を招くことがない。その結果、コストの増大を一層抑制でき、しかも故障等の不具合を起こりにくくすることができる。
【００１７】
なお、前記成形孔は「前記フランジが最も薄い部位におけるウエザストリップの断面形状と同一形状（サイズ）をなす」よう構成してもよい。この場合、さらに、「前記制御装置は、ウエザストリップのうち、前記フランジが最も薄い部位における押出成形に際しては、前記シャッタが前記成形孔を閉鎖しないように切換制御し、前記フランジが最も厚い部位における押出成形に際しては、前記シャッタが前記成形孔を最も閉鎖した状態となるように切換制御すること」としてもよい。このような構成を採用することで、上記作用効果が一層確実に奏される。
【００１８】
手段４．車両のドア開口周縁のフランジに保持される断面略Ｕ字形のトリム部と、前記トリム部から突出して設けられ、ドア閉時にドアの周縁が押付けられる中空状のシール部と、前記トリム部の内面から前記フランジ側に向かって延出形成された保持リップ部と
を備えたウエザストリップの製造方法であって、
ウエザストリップを成形するための成形孔を有するダイスと、
前記成形孔に対して相対移動可能に設けられ、前記成形孔のうち少なくとも前記保持リップ部に対応するリップ成形用部位の一部を開閉可能な単一のシャッタと、
前記シャッタを駆動する駆動手段と、
前記駆動手段を駆動制御することで前記シャッタの位置を切換可能な制御装置とを備え、
前記制御装置は、ウエザストリップの押出成形に際し、前記フランジが最も薄い部位に対応する前記保持リップ部の長さが最も長く、
かつ、前記フランジが最も薄い部位に対応する前記保持リップ部の肉厚が最も大きく、
かつ、前記保持リップ部のうち最も長くかつ最も厚肉な部位における前記フランジ面に対する前記保持リップ部の先端部分の延出角度が、前記保持リップ部のうち最も短くかつ最も薄肉な部位における前記フランジ面に対する前記保持リップ部の先端部分の延出角度よりも小さく
なるよう前記フランジの厚みに応じて前記シャッタの位置を複数の所定段階に切換えることを特徴とするウエザストリップの製造方法。
【００１９】
手段４によれば、単一のシャッタで、上述した手段２の作用効果が奏される。換言すれば、保持リップ部の形状を異ならせるにあたり、シャッタ構造の複雑化を招くことがない。その結果、コストの増大を一層抑制でき、しかも故障等の不具合を起こりにくくすることができる。
【００２０】
手段５．前記シャッタは、前記リップ成形用部位の延在方向に対して斜めに交差する方向にスライド可能に設けられていることを特徴とする手段３又は４に記載のウエザストリップの製造方法。
【００２１】
手段５によれば、シャッタをリップ成形用部位の延在方向に対して斜めにスライドさせることで、リップ成形用部位の延在方向の先端部側を閉鎖すると同時に、幅方向の一側部側を閉鎖することができる。これにより、単一のシャッタで、保持リップ部の長さ及び肉厚（及び先端部形状）を多段階に切換えるといった制御を比較的容易に行うことができ、シャッタ構造及び切換制御の複雑化を防止することができる。
【００２２】
なお、保持リップ部の先端部が基端部に対して屈曲形成されるような構成を採用する場合には、「前記リップ成形用部位は、前記保持リップ部の基端部分を成形する第１成形用部位と先端部分を成形する第２成形用部位とからなり、前記シャッタは、前記第２成形用部位の延在方向に沿う方向にスライド可能に構成されていること」としてもよい。この場合においても、シャッタが第１成形用部位の延在方向に対して斜めに交差する方向にスライドすることとなり、上記構成と同様の作用効果が奏される。
【００２３】
手段６．ウエザストリップの長手方向に沿って相違している前記ドア開口周縁のフランジの厚みを、前記長手方向に対応させて、所定範囲を有する複数の所定段階に区分し、ウエザストリップの押出成形に際しては、前記区分に応じて前記保持リップ部の形状を切換えるようにして成形することを特徴とする手段１乃至５のいずれかに記載のウエザストリップの製造方法。
【００２４】
手段６によれば、ウエザストリップの長手方向に沿って相違しているドア開口周縁のフランジの厚みが、前記長手方向に対応させて、所定範囲を有する複数の所定段階に区分される。そして、ウエザストリップの押出成形に際しては、前記区分に応じて保持リップ部の長さが切換えられる。このため、長さ及び形状を切り換える際の制御が複雑となってしまうことがなく、コストが増大してしまうこともない。また、フランジの厚みの変化が多い場合であっても、長さの変更が間に合わず、所望とするリップ長さを得られないという事態も起こりにくい。さらには、連続的に変化させるシビアな制御を行う必要もないことから、押出速度の増大を図ることができ、もって生産性の向上を図ることができる。
【００２５】
なお、「保持リップ部の形状」とあるのは、「保持リップ部の長さ及び肉厚」といった意味が含まれる場合もあるし、「保持リップ部の長さ、肉厚、及び先端部形状」といった意味が含まれる場合もある（以下各手段において同様）。
【００２６】
手段７．前記断面略Ｕ字形のトリム部は、車内側側壁部、車外側側壁部及び両側壁部を連結する連結部を備えるとともに、前記保持リップ部は、前記車内側側壁部及び車外側側壁部の内面から前記フランジ側に向かって延出形成されており、
前記車内側側壁部及び車外側側壁部のうち一方から延出形成された保持リップ部の形状を常に一定とし、他方から延出形成された保持リップ部の形状を、切換えるようにして成形することを特徴とする手段１乃至６のいずれかに記載のウエザストリップの製造方法。
【００２７】
手段７によれば、押出成形に際しては、車内側側壁部及び車外側側壁部の内面のうち一方から延出形成された保持リップ部の形状が常に一定とされ、他方から延出形成された保持リップの形状が切換えられるため、フランジの厚みに応じた挿入荷重や保持力の調整を図りやすい。しかも双方の保持リップ部の形状を異ならせる場合に比べ、制御の簡素化を図りやすい。
【発明を実施するための最良の形態】
【００２８】
以下に、一実施形態について図面を参照しつつ説明する。
【００２９】
図２に示すように、自動車１の側方のドア２に対応するボディ側のドア開口３周縁には、ウエザストリップ４が設けられる。本実施形態のウエザストリップ４は、ドア開口３のうち、下部を除く周縁にわたって取付けられ、全て押出成形法によって成形されている。
【００３０】
図１，３に示すように、ウエザストリップ４は、トリム部５及びシール部６を備えている。トリム部５は、車内側側壁１１、車外側側壁１２及び両側壁１１，１２を連結する断面湾曲形状をなす連結部１３を備えており、全体として略Ｕ字形をなしている。トリム部５は、ＥＰＤＭ（エチレン−プロピレン−ジエン共重合）ソリッドゴムによって構成されており、その内部には、金属製のインサート１４が埋設されている。
【００３１】
車外側側壁１２の内面には、トリム部５の内側（車両幅方向車内側）に向かって延びる複数の保持リップ部１５が一体形成されている。当該保持リップ部１５は、いずれの部位においても一定の大きさ（長さ）を有している。また、車内側側壁１１の内面には、トリム部５の内側（車両幅方向車外側）に向かって延びる可変保持リップ部１６が一体形成されている。なお、前記連結部１３には図示しないガーニッシュ等の内装品の端部を覆うためのカバーリップ１７が一体形成されている。
【００３２】
さらに、シール部６は前記車外側側壁１２に対し車外側に突出して設けられており、中空状をなしている。該シール部６は、ＥＰＤＭスポンジゴムによって構成されている。そして、ドア２閉時には、シール部６が潰れ変形することで、ドア２と自動車１のボディとの間がシールされるようになっている。
【００３３】
さて、上記ウエザストリップ４は、トリム部５がボディ側のドア開口３周縁（図２参照）に嵌め込まれることによって取付けられている。より詳しく説明すると、図３に示すように、ボディは、インナパネル２１及びアウタパネル２２を備えており、基本的にはこれら両パネル２１，２２の周縁部分が接合されることにより、フランジ２３が形成されている。但し、本実施形態では、各部位によってフランジ２３の厚みが相違するようになっている。例えば、図３（ａ）に示すように、インナパネル２１及びアウタパネル２２のみが相互に接合されることによってフランジ２３が構成されている部位もあれば、図３（ｂ），（ｃ）に示すように、強度を高めるべく板状のリーンフォース２４，２５が両パネル２１，２２間に設けられることによってフランジ２３が構成されている部位もある。また、１枚のリーンフォース２４のみが設置されている部位もあれば、２枚のリーンフォース２４，２５が設置されている部位もある。
【００３４】
これに対し、本実施形態では、基本的には、フランジ２３の厚みに応じて、前記可変保持リップ部１６の長さ、肉厚、及び先端部形状がウエザストリップ４の長手方向に相違するようになっている。但し、フランジの厚みに応じて連続的に、かつ、シビアにリップ形状（長さ、肉厚、先端部形状）が徐変させられるものとは異なり、本実施形態における可変保持リップ部１６の形状は主として３段階に切換えられる。より詳しく説明すると、可変保持リップ部１６が最も長く、かつ、最も厚肉な第１バージョン（図１（ａ）参照）、可変保持リップ部１６の長さが中程度で、かつ、肉厚が中程度な第２バージョン（図１（ｂ）参照）、及び、可変保持リップ部１６が最も短く、かつ、最も薄肉な第３バージョン（図１（ｃ）参照）のいずれかに切換えられる。但し、第２、第３バージョンにおける可変保持リップ部１６は、いずれも略直線状に延出している。つまり、フランジ２３面に対する延出角度がいずれも所定角度となっているのに対し、第１バージョンにおける可変保持リップ部１６は、基端部１６ａと先端部１６ｂとで延出方向（角度）が異なっている。すなわち、第１バージョンにあっては、フランジ２３面に対する可変保持リップ部１６の基端部１６ａの延出角度は、前記所定角度（第２、第３バージョンの延出角度）と同等であるのに対し、先端部１６ｂの延出角度は、より小さくなっている。換言すれば、第１バージョンにおける可変保持リップ部１６は、その基端部１６ａが第２、第３バージョンにおける可変保持リップ部１６と同等の延出角度で延び、その先端部１６ｂが基端部１６ａに対し折曲形成されることで、略「く」字状に折曲形成されているのである。
【００３５】
さて、図４は、上述したウエザストリップ４の押出成形に際し用いられるダイス３１等を模式的に示す図である。ダイス３１は、前記ウエザストリップ４を成形するための成形孔３２を有しており、この成形孔３２から未加硫のゴム材料が押し出されるようになっている。また、前記トリム部５に対応する部位は、当初開いた状態で押し出されるよう略扁平状をなしており（後に湾曲させられる）、当該部位には、未加硫ゴムとともにインサート１４（ここでは図示略）が連続的に供給されるようになっている。
【００３６】
本実施形態では、図４等に示すように、成形孔３２は、トリム部５に対応する部位が開いている点を除いて、上記第1バージョンにおける可変保持リップ部１６の断面形状と同一形状（サイズ）を成している。すなわち、図５（ａ）に示すように、成形孔３２のうち、可変保持リップ部１６に対応する部位（以下、単に「リップ成形用部位５１」と称する）は、第１バージョンの可変保持リップ部１６と同一形状（長さ及び肉厚が最大であり、かつ、「く」字状：図１（ａ）参照）となっている。より詳しくは、当該リップ成形用部位５１は、可変保持リップ部１６の基端部１６ａを成形するための第１成形用部位５１ａと、先端部１６ｂを成形するための第２成形用部位５１ｂとから構成されている。
【００３７】
また、図４に示すように、可変保持リップ部１６の形状を上記第１バージョン〜第３バージョンの間で切換えるための機構として、シャッタ３３及びアクチュエータ３４等が設けられている。シャッタ３３は、前記成形孔３２のうち、リップ成形用部位５１の開口領域を段階的に閉鎖可能に設けられている。シャッタ３３の両側には図示しないガイドが設けられ、シャッタ３３は、ガイドに沿って同図矢印方向に（図５（ａ）の位置から同図（ｃ）の位置までの間で）往復移動可能となっている。この往復移動により、リップ成形用部位５１の開口領域が３段階に切換えられるようになっている。
【００３８】
ここで、シャッタ３３の移動（スライド）動作についてより詳しく説明する。図４、図５に示すように、本実施形態では、シャッタ３３は、第２成形用部位５１ｂの延在方向に沿う方向（第１成形用部位５１ａの延在方向に対して斜めに交差する方向）にスライドするよう構成されている。そして、シャッタ３３が成形孔３２を閉鎖する方向（図では右側）にスライドした場合には、当該シャッタ３３によって、第１成形用部位５１ａの一側部側（図では左上側）、及び、第２成形用部位５１ｂの先端部側（図では左側）が閉鎖される。すなわち、リップ成形用部位５１の開口領域が、その長さ方向及び幅方向において同時に閉鎖（狭小化）されるようになっている。
【００３９】
なお、上記したことではあるが、本実施形態では、リップ成形用部位５１は第１バージョンの可変保持リップ部１６と同一の形状となっている。つまり、図５（ａ）に示すように、第１バージョンを成形する場合には、シャッタ３３による前記成形孔３２のリップ成形用部位５１の閉鎖が行われず、リップ成形用部位５１の開口形状そのままの「く」字状の可変保持リップ部１６が成形されるようになっている。これに対し、図５（ｂ），（ｃ）に示すように、第２、第３バージョンを成形する場合には、それぞれシャッタ３３によりリップ成形用部位５１が部分的に閉鎖される。これにより、第１バージョンよりも短く、かつ、第１バージョンよりも薄肉で、かつ、略直線状の可変保持リップ部１６が成形されるようになっている。
【００４０】
また、図４に示すように、駆動手段としての前記アクチュエータ３４は、シャッタ３３をスライドさせるためのものであって、シリンダ、カム機構、或いはモータといった公知のものを適宜採用することができる。さらに、アクチュエータ３４は、制御装置４１によって駆動制御される。尚、アクチュエータ３４とシャッタ３３とは、直接連結されていてもよいし、図示しないリンク部材を介して連結されていてもよい。
【００４１】
次に、上記のように構成されてなるウエザストリップ４の製造方法のうち、主要な押出成形工程について説明する。
【００４２】
なお、制御装置４１には、ウエザストリップ４の長手方向に沿って変動するフランジ２３の厚みに関するデータ（図６（ａ），（ｂ）参照）、つまり、一方の端面αから他方の端面βに至るまでの間における対応するフランジ２３の厚みに関する情報が予め入力されており、制御装置４１は、かかるデータに基づいてアクチュエータ３４を制御する。
【００４３】
より詳しくは、図６（ｂ），（ｃ），（ｄ）に示すように、フランジ２３の厚みが大きいｃ〜ｄの範囲内にあるときには、「フランジ厚み大」に属するものとして区分され、可変保持リップ部１６の長さが最も短く、かつ、肉厚が最も薄い第３バージョンを成形するべく、シャッタ３３が図４の右方（図５（ｃ）参照）に位置するようアクチュエータ３４が制御される。これにより、フランジ２３の厚みが比較的大きい区間においては、実際の可変保持リップ部１６の長さが短く、かつ、薄肉な第３バージョンが成形される。
【００４４】
また、フランジ２３の厚みが中程度のｂ〜ｃの範囲内にあるときには、「フランジ厚み中」に属するものとして区分され、可変保持リップ部１６の長さが中程度で、かつ、肉厚が中程度の第２バージョンを成形するべく、シャッタ３３が図４の中間（図５（ｂ）参照）に位置するようアクチュエータ３４が制御される。これにより、フランジ２３の厚みが中程度の区間においては、実際の可変保持リップ部１６の長さ、及び、肉厚が中程度の第２バージョンが成形される。さらに、フランジ２３の厚みが小さいａ〜ｂの範囲内にあるときには、「フランジ厚み小」に属するものとして区分され、可変保持リップ部１６の長さが最大、かつ、肉厚が最大、かつ「く」字状の第１バージョンを成形するべく、シャッタ３３が図４の左方（図５（ａ）参照）に位置するようアクチュエータ３４が制御される。これにより、フランジ２３の厚みが小さい区間においては、実際の可変保持リップ部１６が最も長く、肉厚が最も大きく、かつ、「く」字状に折曲形成された第１バージョンが成形される。
【００４５】
また、ウエザストリップ４の長手方向に沿って、可変保持リップ部１６の長さや肉厚等が切換えられる箇所があるが、当該可変保持リップ部１６の形状の切換は、徐々にではなく比較的速やかに（短期間の間に）行われる。従って、本実施形態の製造方法により得られるウエザストリップ４は、第１〜第３バージョンという３段階のいずれかが大部分（ほとんど）を占めており、可変保持リップ部１６の形状が切り換えられる（変化する）区間は極めて短い。
【００４６】
以上詳述したように、本実施形態によれば、フランジ２３の厚みが比較的大きい区間では、実際の可変保持リップ部１６が短いもの（第３バージョン）となる。このため、挿入荷重が増大してしまうといった事態が起こりにくくなり、取付作業性の悪化を防止することができる。また、フランジ２３の厚みが小さい区間では、実際の可変保持リップ部１６が長いもの（第１バージョン）となる。このため、十分な弾性力を確保することができ、抜けを起こりにくくし、取付状態の安定化を図ることができる。
【００４７】
さらに、本手段では、可変保持リップ部の肉厚についても、フランジ２３の厚みに応じて、複数の所定段階に切換えられる。より詳しくは、フランジ２３の厚みが比較的大きい区間では、実際の可変保持リップ部１６の肉厚が小さいものとされ、フランジ２３の厚みが小さい区間では、実際の可変保持リップ部１６の肉厚が大きいものされる。このため、フランジ２３の厚みが大きい部位に対応しては、可変保持リップ部１６が薄肉とされることで、挿入荷重の増大が起こりにくくなるといった作用効果が相乗的に奏される。逆にフランジ２３が薄い部位に対応しては、可変保持リップ部１６が厚肉とされることで、十分な弾性力が確保され、抜けが起こりにくくなるといった作用効果が相乗的に奏される。
【００４８】
また、本実施形態では、可変保持リップ部１６の長さ及び肉厚が切換えられるのに止まらず、可変保持リップ部１６のうち最も長くかつ厚肉な部位（すなわち、第１バージョン）におけるフランジ２３面に対する先端部１６ｂの延出角度が、可変保持リップ部１６のうち最も短くかつ薄肉な部位（すなわち、第３バージョン）におけるフランジ２３面に対する可変保持リップ部１６先端の延出角度よりも小さくなるよう、「く」字状に折曲成形される。このため、フランジ２３が最も薄い部位においては、可変保持リップ部１６の長さが最も長くかつ厚肉になっているとともに、フランジ２３面に対する可変保持リップ部１６の先端部１６ｂの延出角度もより小さく、可変保持リップ部１６のフランジ２３面に対する接触面積がより大きくなる（図３（ａ）等参照）。従って、抜け応力が加わったときの摺動抵抗がより大きいものとなり、より一層確実な抜け防止を図ることができる。
【００４９】
一方で、フランジ２３の厚みが最も大きい部位においては、可変保持リップ部１６の長さが最も短くかつ薄肉になっているとともに、フランジ２３面に対する可変保持リップ部１６の先端部の延出角度もより大きく、当該可変保持リップ部１６のフランジ２３面に対する接触面積がより小さくなる。従って、フランジ２３の厚みが大きい部位における、摺動抵抗が小さく、嵌め込み時の応力（挿入荷重）が大きくなってしまうという不具合を抑制できる。結果として、取付作業性の飛躍的な向上及び取付状態の一層の安定化を図ることができる。
【００５０】
その上、本実施形態では、シャッタ３３をリップ成形用部位５１の第２成形用部位５１ｂの延在方向に（第１成形用部位５１ａの延在方向に対して斜め方向）にスライドさせることで、リップ成形用部位５１の延在方向の先端部側を閉鎖すると同時に、幅方向の一側部側を閉鎖するようになっている。これにより、複数のシャッタを用いることなく、単一のシャッタ３３で、可変保持リップ部１６の長さ及び肉厚（及び先端部形状）を多段階に切換えるといった制御を比較的容易に行うことができ、シャッタ３３の構造及び切換制御の複雑化を防止することができる。その結果、コストの増大を一層抑制でき、しかも故障等の不具合を起こりにくくすることができる。さらに、保持リップ部の長さ及び肉厚（先端部形状）が別々に切換えられるわけではなく、同時に切換えられるため、切換制御や構成の複雑化を確実に抑制することができる。
【００５１】
しかも、保持リップ部１６の形状（長さ、肉厚、先端部形状）は段階的に切換えられるものであるため、形状を切り換える際の制御が複雑となってしまうことがなく、制御の複雑化に伴うコストの増大を抑制することができる。また、フランジ２３の厚みの変化が多い場合であっても、形状の変更が間に合わず、所望とするリップ形状を得られないという事態も起こりにくい。さらには、連続的に変化させるシビアな制御を行う必要もないことから、押出速度の増大を図ることができ、もって生産性の向上を図ることができる。
【００５２】
併せて、製造及び取付に際して長手方向に多少のばらつきが生じたとしても、そのばらつきが吸収されやすく、挿入荷重が大きくなってしまったり抜けやすくなってしまう事態が起こりにくい。特に、本実施形態では、ウエザストリップ４の長手方向における切換区間の長さが、製造及び組付の最大ばらつき範囲以下となるように設定される。このように切換区間の長さを短くすることで、頻繁にフランジ２３の厚みが変化する場合でも、不具合が生じにくい。また、製造や組付に多少のばらつきが生じたとしても、該ばらつきによる不具合の生じうる区間を極力短くすることができる。
【００５３】
さらにまた、本実施形態では、車外側側壁１２の内面に設けられる保持リップ部１５については、いずれの部位においても一定の長さとし、車内側側壁１１の内面に設けられる可変保持リップ部１６の長さを切換えることとしている。このため、フランジ２３の厚みに応じた可変保持リップ部１６の目標長さ等の設定を行いやすく、挿入荷重や保持力の調整を図りやすい。しかも双方の保持リップ部の長さを異ならせる場合に比べ、制御の簡素化を図ることができる。
【００５４】
尚、上記実施形態の記載内容に限定されず、例えば次のように実施してもよい。勿論、以下において例示しない他の応用例、変更例も当然可能である。
【００５５】
（ａ）上記実施形態では、フランジ２３の厚みがｃ〜ｄの範囲内にあるときには「フランジ厚み大」に属するものとして区分され、可変保持リップ部１６の目標長さが短くかつ目標肉厚が小さいもの（第３バージョン）とされ、厚みがｂ〜ｃの範囲内にあるときには「フランジ厚み中」に属するものとして区分され、目標長さ及び肉厚が中程度（第２バージョン）とされ、厚みがａ〜ｂの範囲内にあるときには、「フランジ厚み小」に属するものとして区分され、目標長さが長くかつ目標肉厚が大きいもの（第１バージョン）とされている。これに対し、図７に示すように、目標長さ及び肉厚に重なり合う範囲が存在するようにしてもよい。例えば、フランジ２３の厚みがＴ１のときには、「第１バージョン」及び「第２バージョン」のうち、そのときどきに応じて望ましい或いは都合のよい方を選択して、目標長さ及び肉厚を設定することとしてもよく、フランジ２３の厚みがＴ２のときには、「第２バージョン」及び「第３バージョン」のうち、そのときどきに応じて望ましい或いは都合のよい方を選択して、目標長さ及び肉厚を設定することとしてもよい。
【００５６】
（ｂ）上記実施形態では、（サイドフロント）ドア２に対応するボディ側のドア開口３周縁に設けられるウエザストリップ４の製造方法について具体化しているが、リヤドア、バックドア、ラッゲージドア（トランクリッド）、ルーフドア（スライディングルーフパネル）等の他のドアの開口周縁に設けられるウエザストリップについて適用することも可能である。
【００５７】
（ｃ）上記実施形態では、可変保持リップ部１６の長さ、肉厚、及び形状を３段階に切換えることとしているが、２段階であってもよいし、４段階以上に切換えることとしてもよい。
【００５８】
（ｄ）また、上記実施形態では、第１バージョンにおける可変保持リップ部１６が屈曲形成されるウエザストリップについて記載しているが、可変保持リップ部１６が屈曲形成されない（第１〜第３バージョンにおける可変保持リップ１６形状が互いに略相似形状の）ウエザストリップに対して上記構成を採用することもできる。すなわち、可変保持リップ部１６の長さ及び肉厚が多段階に切換わるような構成を採用することも可能である。
【００５９】
（ｅ）上記実施形態では、成形孔３２が、トリム部５に対応する部位が開いている点を除いて、第１バージョンにおけるウエザストリップ４の断面形状と同一形状となるよう構成され、第１バージョンにおけるウエザストリップ４の押出成形に際しては、シャッタ３３による成形孔３２の閉鎖が行われないようになっているが、特にこのような構成に限定されるものではない。例えば、第１バージョンにおけるウエザストリップ４を成形するに際しても、シャッタ３３によって、可変保持リップ部１６の少なくとも一部が成形されるよう（シャッタ３３が成形孔３２の一部を閉鎖するよう）構成してもよい。
【００６０】
（ｆ）上記実施形態では、トリム部５をソリッドゴムにより構成し、シール部６をスポンジゴムにより構成することとしているが、両者を同一材料により構成することとしてもよい。また、ウエザストリップ４を構成する素材としてＥＰＤＭを例示しているが、ＩＲ（イソプレンゴム）、ＣＲ（クロロプレンゴム）等の他のゴム材料を用いてもよい。また、オレフィン系熱可塑性エラストマー（ＴＰＯ）、或いは軟質のポリ塩化ビニル等のゴム状弾性を有する他の弾性材料により構成してもよい。
【００６１】
（ｇ）上記実施形態では、ウエザストリップ４が、ドア開口３の周縁の下部を除くほぼ全周にわたって取付けられることとしているが、完全に全周にわたって取付けられることとしてもよい。また、必ずしも全周或いはほぼ全周でなくてもよく、例えば部分的に取付けられるウエザストリップであってもよい。また、型接続部されることで構成されるウエザストリップの押出成形部にも適用可能である。
【００６２】
（ｈ）インサート１４を省略したウエザストリップにも適用可能である。
【図面の簡単な説明】
【００６３】
【図１】（ａ），（ｂ），（ｃ）は、一実施形態におけるウエザストリップを示す断面図である。
【図２】自動車を示す斜視図である。
【図３】（ａ），（ｂ），（ｃ）は、部位において相違するウエザストリップの取付構造を示す断面図である。
【図４】ウエザストリップの押出成形に際し用いられるダイス等を模式的に示す図である。
【図５】（ａ），（ｂ），（ｃ）は、ダイスの成形孔及びシャッタの相対位置関係を模式的に示す部分拡大図である。
【図６】（ａ）はウエザストリップを示す側面模式図であり、（ｂ）はウエザストリップの長手方向に対応するフランジの厚みの関係を示すデータであり、（ｃ）は長手方向に対応する可変保持リップ部の長さの関係を示すチャートであり、（ｄ）は長手方向に対応する可変保持リップ部の肉厚の関係を示すチャートである。
【図７】別の実施形態におけるフランジの厚みに対する可変保持リップ部の目標長さの設定態様を説明するための線図である。
【符号の説明】
【００６４】
１…車両としての自動車、２…ドア、３…ドア開口、４…ウエザストリップ、５…トリム部、６…シール部、１１…車内側側壁、１２…車外側側壁、１３…連結部、１５…保持リップ部、１６…可変保持リップ部、２３…フランジ、３１…ダイス、３２…成形孔、３３…シャッタ、３４…駆動手段としてのアクチュエータ、４１…制御装置、５１…リップ成形用部位。
【図１】
2006297979.tif 000003
【図２】
2006297979.tif 000004
【図３】
2006297979.tif 000005
【図４】
2006297979.tif 000006
【図５】
2006297979.tif 000007
【図６】
2006297979.tif 000008
【図７】
2006297979.tif 000009